(57)【要約】【課題】主液晶表示体と副液晶表示体とが、バックライトケースを間に挟んで互いに背中合わせに配設され、バックライトケースには、主開口部と副開口部とがそれぞれ形成され、主開口部には主液晶表示体が、副開口部には副液晶表示体が面した構造とされている液晶表示装置において、副液晶表示体の配置位置が変更になっても、その都度バックライトケースを作り直すことがないようにし、コストの上昇を抑えるようにすることにある。【解決手段】バックライトケース２の副開口部２７の大きさを、副液晶表示体３の大きさよりも大きくする。また、副開口部２７のケース長手方向の長さを、副液晶表示体３のケース長手方向の長さよりも長くする。副開口部２７の副液晶表示体３が面していない部分を第２の遮光シート２９Ａで覆う。【選択図】図１
2007065263.tif 000002
【特許請求の範囲】
【請求項１】
主液晶表示体と副液晶表示体とが、これら主液晶表示体と副液晶表示体とに照明光を送出する発光部を収容したバックライトケースを間に挟んで互いに背中合わせに配設され、
バックライトケースには、その両面に光を通過させる主開口部と副開口部とがそれぞれ形成され、主開口部には主液晶表示体が、副開口部には副液晶表示体が面した構造とされている液晶表示装置であって、
バックライトケースの副開口部の大きさを、副液晶表示体の大きさよりも大きくしていることを特徴とする液晶表示装置。
【請求項２】
主液晶表示体と副液晶表示体とが、これら主液晶表示体と副液晶表示体とに照明光を送出する発光部を収容したバックライトケースを間に挟んで互いに背中合わせに配設され、
バックライトケースには、その両面に光を通過させる主開口部と副開口部とがそれぞれ形成され、主開口部には主液晶表示体が、副開口部には副液晶表示体が面した構造とされている液晶表示装置であって、
バックライトケースの副開口部のケース長手方向の長さを、副液晶表示体のケース長手方向の長さよりも長くしていることを特徴とする液晶表示装置。
【請求項３】
前記副開口部の前記副液晶表示体が面していない部分を遮光シートで覆っていることを特徴とする請求項１または２記載の液晶表示装置。
【発明の詳細な説明】
【技術分野】
【０００１】
この発明は、例えば、携帯電話機の筐体の表面および裏面にそれぞれ液晶表示素子の表示面を設けるために、この筐体内に配設される主液晶表示体と副液晶表示体とを備えた液晶表示装置に関する。
【背景技術】
【０００２】
折り畳みタイプの携帯電話機では、そのフラップ部分の内側に大型液晶画面が配され、外側に小型液晶画面が配された構造のものがある。
図５ないし７図は、このフラップ部分をなす筐体内に収められている液晶表示装置を示すもので、図５は平面図、図６は図５のＩ−Ｉ線で断面視した縦断面図、図７は図５のＩＩ−ＩＩ線で断面視した横断面図である。
【０００３】
この液晶表示装置は、主液晶表示体１とバックライトケース２と副液晶表示体３とから概略構成されている。
主液晶表示体１は、例えば画面サイズ２．４インチ程度のＴＦＴ型カラー液晶表示素子などからなるものである。
【０００４】
バックライトケース２は、箱状のケース本体２１と、このケース本体２１内に収められた発光部２２から構成されている。ケース本体２１は、ポリプロピレン、ポリスチレンなどの合成樹脂、アルミニウム合金などの金属などからなる直方体状のもので、長さ４０〜６０ｍｍ、幅３０〜４０ｍｍ、厚さ２〜５ｍｍ程度となっている。
【０００５】
発光部２２は、冷陰極線管、白色発光ダイオードなどの光源２３と、この光源２３からの光を導光する導光板２４と、この導光板２４からの光を均一に拡散する拡散板、プリズムシートなどの複数枚の光学シートからなる２組の光散乱シート群２５、２５から構成されている。
また、ケース本体２１には、その両面に光を通過させるための開口部が形成されており、バックライトケース２の両面に光を導出する構造となっている。
【０００６】
そして、これら開口部のうち、一方は開口面積が広くなって主開口部２６となっており、他方は開口面積が狭くなって副開口部２７となっている。
ここでの主開口部２６は、ケース本体２１の一方の表面のほぼ全面を占める大きさの長方形状となっている。また、副開口部２７は、ケース本体２１の他方の表面のほぼ３分の１を占める大きさの長方形状となっている。
【０００７】
副開口部２７は、その縦方向の中心軸がケース本体２１の縦方向の中心軸と一致しており、その形成位置がケース本体２１の縦方向に若干偏った位置となっている。
また、主開口部２６の大きさは、主液晶表示体１全体の大きさとほぼ同じとなっており、副開口部２７の大きさは、副液晶表示体３の表示面の大きさよりも若干大きくなっている。
【０００８】
そして、バックライトケース２の主開口部２６にほぼ埋め込まれるようにして主液晶表示体１が配置され、主開口部２６を通過した光が主液晶表示体１に照射されるようになっている。
さらに、主液晶表示体１と発光部２２との間には、第１の遮光シート２８が設けられ、主液晶表示体１の表示域以外の部分に余分の光が入射されないようになっている。この第１の遮光シート２８は、黒色のプラスチックシート、紙などからなる長方形状のシートであって、光を通過する長方形状の窓が形成されたもので、この窓の位置が主液晶表示体１の表示面とほぼ一致するようになっている。
【０００９】
また、バックライトケース２のケース本体２１の副開口部２７に面するように副液晶表示体３が設けられ、副開口部２７を通過した光が副液晶表示体３に照射されるようになっている。また、副液晶表示体３と発光部２２との間であって、ケース本体２１内には、第２の遮光シート２９が設けられ、副液晶表示体３の表示域以外の部分に余分の光が入射されないようになっている。この第２の遮光シート２９も、黒色のプラスチックシート、紙などからなる長方形状のシートであって、光を通過する長方形状の窓が形成されたもので、この窓の位置が副液晶表示体３の表示面とほぼ一致するようになっている。
【００１０】
上記副液晶表示体３は、例えば画面寸法が１．２インチ程度のＳＴＮ型白黒液晶表示素子などからなるもので、主液晶表示体１よりもその表示画面の大きさが小さいものである。
以上の構成とすることにより、バックライトケース２内の発光部２２から出射した光の一部の光が第１の遮光シート２８の窓、主開口部２６を通過して主液晶表示体１の表示域に入射され、画像が表示される。また、残部の光は第２の遮光シート２９の窓、副開口部２７を通過して副液晶表示体３の表示域に入射され、画像が表示されることになる。
【００１１】
ところで、このような液晶表示装置にあっては、携帯電話機のデザインの変更にともなって、主に副液晶表示体３の配置位置が変わることがある。
この副液晶表示体の配置位置の変更は、バックライトケース２のケース本体２１の長手方向に沿って移動する場合が多い。
【００１２】
このため、副液晶表示体３の配置位置の変動があるたびに、ケース本体２１の副開口部２７の位置も変更する必要があり、結局そのデザイン変更の都度、ケース本体１２、すなわちバックライトケース２を作り直すことになり、コストが嵩むことになっていた。
【特許文献１】特開２００４−２１２４７５号公報
【発明の開示】
【発明が解決しようとする課題】
【００１３】
よって、本発明における課題は、主液晶表示体と副液晶表示体とが、バックライトケースを間に挟んで互いに背中合わせに配設され、バックライトケースには、主開口部と副開口部とがそれぞれ形成され、主開口部には主液晶表示体が、副開口部には副液晶表示体が面した構造とされた液晶表示装置において、副液晶表示体の配置位置が変更になっても、その都度バックライトケースを作り直すことがないようにし、コストの上昇を抑えるようにすることにある。
【課題を解決するための手段】
【００１４】
かかる課題を解決するため、
請求項１にかかる発明は、主液晶表示体と副液晶表示体とが、これら主液晶表示体と副液晶表示体とに照明光を送出する発光部を収容したバックライトケースを間に挟んで互いに背中合わせに配設され、
バックライトケースには、その両面に光を通過させる主開口部と副開口部とがそれぞれ形成され、主開口部には主液晶表示体が、副開口部には副液晶表示体が面した構造とされている液晶表示装置であって、
バックライトケースの副開口部の大きさを、副液晶表示体の大きさよりも大きくしていることを特徴とする液晶表示装置である。
【００１５】
請求項２にかかる発明は、主液晶表示体と副液晶表示体とが、これら主液晶表示体と副液晶表示体とに照明光を送出する発光部を収容したバックライトケースを間に挟んで互いに背中合わせに配設され、
バックライトケースには、その両面に光を通過させる主開口部と副開口部とがそれぞれ形成され、主開口部には主液晶表示体が、副開口部には副液晶表示体が面した構造とされている液晶表示装置であって、
バックライトケースの副開口部のケース長手方向の長さを、副液晶表示体のケース長手方向の長さよりも長くしていることを特徴とする液晶表示装置である。
【００１６】
請求項３にかかる発明は、前記副開口部の前記副液晶表示体が面していない部分を遮光シートで覆っていることを特徴とする請求項１または２記載の液晶表示装置である。
【発明の効果】
【００１７】
本発明にあっては、副液晶表示体の配置位置やサイズが変更になっても、その都度バックライトケースを作り直す必要がない。また、副液晶表示体の位置が変更されても、遮光シートの窓の位置をこれに合わせて変更するだけで対応することができる。
【発明を実施するための最良の形態】
【００１８】
図１は、本発明の液晶表示装置の一例を示すもので、図５ないし図７に示した従来のものと同一構成部分には同一符号を付してその説明を省略する。また、図１は、従来の図６に対応する断面図である。
【００１９】
図１に示された例では、バックライトケース２のケース本体２１に形成された副開口部２７の大きさが、この副開口部２７に面している副液晶表示体３の大きさに比べて大きくなっている。
すなわち、副開口部２７のケース本体２１の長手方向（縦方向）の長さが副液晶表示体３の縦方向の長さの１．５〜２．０倍となっている。副開口部２７の横方向の幅は、従来の副開口部のそれと同じになっている。
【００２０】
また、副液晶表示体３の配置位置は、副開口部２７の縦方向における上部側となっており、副開口部２７の縦方向における下部側には、何も遮るものはなく、この部分が外部に開放されている。
さらに、この例では、図２に示すように、第２の遮光シート２９Ａは、その窓部３０の形成位置がその長手方向の上部側になっている。そして、この第２の遮光シート２９Ａは、その窓３０が副液晶表示体３の表示面に対応するように、ケース本体２１内に取り付けられている。
【００２１】
図３は、図１に示した副液晶表示体３の配置位置に変更があった場合を示すものである。このものでは、ケース本体２１の副開口部２７は、図１に示したものとは何ら変わっていない。
そして、ケース本体２１の縦方向における下部側に副液晶表示体５が配置されており、副開口部２７の縦方向における上部側には何も遮るものはなく、この部分が外部に向けて開放されている。
【００２２】
そして、このものでは図４に示すような第２の遮光シート２９Ｂがケース本体２１内に取り付けられている。この第２の遮光シート２９Ｂにあっては、その窓３０が第２の遮光シート２９Ｂの長手方向の下部側に位置しており、この窓３０が副液晶表示体３の表示面に対応するようになっている。
【００２３】
このように、図１に示した副液晶表示体３の位置が、図３に示した副液晶表示体３の位置に変更となっても、副開口部２７の位置を変える必要はなく、第２の遮光シート２９Ａに変えて第２の遮光シート２９Ｂを用いることで、副液晶表示体３の配置位置変更に対応することができる。
【００２４】
また、副開口部２７の大きさを予め余裕を見て大きくしておけば、副液晶表示体３の配置位置の変更のみならず、副液晶表示体３自体の変更、すなわちサイズの異なる副液晶表示体３を採用する場合にも、第２の遮光シート２９Ｂを変更することで簡単に対応することができる。
【００２５】
したがって、副液晶表示体３の位置変更やサイズ変更にともなって、その都度バックライトケース２のケース本体２１を作り直す必要がなくなり、デザイン変更に起因するコストの上昇を抑えることができる。
【図面の簡単な説明】
【００２６】
【図１】本発明の液晶表示装置の一例を示す断面図である。
【図２】本発明に用いられる第２の遮光シートの例を示す平面図である。
【図３】本発明の液晶表示装置の一例を示す断面図である。
【図４】本発明に用いられる第２の遮光シートの例を示す平面図である。
【図５】従来の液晶表示装置の例を示す平面図である。
【図６】従来の液晶表示装置の例を示す縦断面図である。
【図７】従来の液晶表示装置の例を示す横断面図である。
【符号の説明】
【００２７】
１・・主液晶表示体、２・・バックライトケース、３・・副液晶表示体、２１・・ケース本体、２２・・発光部、２６・・主開口部、２７・・副開口部、２９Ａ、２９Ｂ・・第２の遮光シート
【図１】
2007065263.tif 000003
【図２】
2007065263.tif 000004
【図３】
2007065263.tif 000005
【図４】
2007065263.tif 000006
【図５】
2007065263.tif 000007
【図６】
2007065263.tif 000008
【図７】
2007065263.tif 000009